(57)【要約】【課題】原稿を原稿保持シートに上から貼り付けることを可能にすることによって、コピー原稿が台紙の影になること事がなく、また粘性を有する原稿保持シートによって原稿の脱着を容易にし、操作者が自分の意図に応じてストレスなく容易に原稿を配置できて良好なレイアウトでのコピーができ、良好なコピー画像が得られるようにする。【解決手段】デジタル画像形成装置において、原稿支持台１上にセット可能な粘性を有する透明シート製の原稿保持シート５を備え、原稿の位置ずれ防止、原稿誤セットの防止、操作者の原稿セット性の向上を可能にする。【選択図】　　　図１
2004020665.tif 000002
【特許請求の範囲】
【請求項１】
デジタル画像形成装置において、原稿支持台上にセット可能な粘性層を有する透明シート製の原稿保持シートを備え、原稿の位置ずれ防止、原稿誤セットの防止、操作者の原稿セット性の向上を可能にしたことを特徴とする画像形成装置。
【請求項２】
請求項１記載の原稿保持シートを巻き取るロールスクリーンスプリング巻き取り構造を備え、使用時以外は原稿保持シートをシート収納部へ収納するようにしたことを特徴とする画像形成装置。
【請求項３】
請求項１又は２記載の原稿保持シートを有する装置において、原稿保持シート補正モードを有し、コピー時の前にシート読取動作を行い、シートの経時的な汚れ等を補正し、良好な画像を得るようにしたことを特徴とする画像形成装置。
【発明の詳細な説明】
【０００１】
【発明の属する技術分野】
本発明は、デジタル画像形成装置、スキャナなどの画像形成装置に関するものである。
【０００２】
【従来の技術】
本発明の従来技術として、特開平６−３１３９３０号公報、特開平５−１４２６７２号公報、特開平８−２３４３３０号公報に記載された技術が存在する。上記記載のものは、何れも原稿支持台（コンタクトガラス）上に複写対象原稿を載せ原稿を押さえ込むようにシートを被せたり、又は２枚のシートに挟み込むようにして原稿を押さえ込む構造となっている。
【０００３】
【発明が解決しようとする課題】
デジタル画像形成装置において使用される現在のコピー用紙は転写紙サイズが決まっており、定型サイズの転写紙は、ほとんど全ての紙サイズ（原稿サイズ）に対応したものとなっている。
しかし、ユーザが定型サイズと異なる原稿サイズ、特に定型サイズより小さい領収書やレシート、図や表といったものを原稿としてコピーする場合には、圧板を原稿支持台（コンタクトガラス）へセットする際の風圧等により容易にずれてしまうことが多く、また圧板の裏汚れ等を転写紙に反映させないために定型サイズの転写用紙をコピー原稿と圧板との間に挟んだりする事もあるが、この場合には原稿のセット状態を直接目視確認することができず、操作者が自分の意図する通りのコピー転写紙を得ることはとても難しい操作であった。またレシートの様な感熱紙をコンタクトガス上等にセットしてコピーする場合には、レシートがコンタクガラスの熱によりカール（湾曲）してしまうため特に煩わしい操作であった。
また、透明シートによってコピー原稿を押さえる手段・装置も示されてはいるが、透明なシートを挟む際に、シートの風圧でセットした原稿はすぐにずれてしまったり、また透明シートの静電気の為に原稿が中で動いてしまったりして操作者にとって満足した操作性を提供したものとはなっていなかった。更に上記従来例では、実際の原稿の配置が台紙の影により見えなくなってしまう場合もあり、原稿がずれてしまったことがわからず、コピーを取り終わるまで実際の配置が見えない為にミスコピーとなる確率が高いこともあった。
【０００４】
本発明は、上記従来の構成では原稿のセット性が損なわれている点に鑑み、原稿を原稿保持シートに上から貼り付けることを可能にすることによって、コピー原稿が台紙の影になること事がなく、また粘性を有する原稿保持シートによって原稿の脱着を容易にし、操作者が自分の意図に応じてストレスなく容易に原稿を配置できて良好なレイアウトでのコピーができ、良好なコピー画像が得られるようにした画像形成装置を提供することを目的とする。
又、原稿保持シートをロールスクリーンスプリング巻き取り機構により巻き取り可能とすることにより、保持シート使用時における原稿支持台上へのセットと収納とを容易に行うことを可能にして操作者への良好な操作性を提供し、コピー操作にかかる業務の時間を減らすことを目的としている。
又、原稿保持シート補正モードを有し、操作者は保持シートの使用時にこのモードを選択することで、原稿転写前に原稿保持シートを事前に読み取り、原稿画像読取りデータを補正して、シートの経時的な汚れ等による転写紙地汚れを防止し、良好なコピー画像が得られようにすることを目的としている。
【０００５】
【課題を解決するための手段】
前記の課題を解決するために、請求項１記載の発明では、デジタル画像形成装置において、原稿支持台上にセット可能な粘性を有する透明シート製の原稿保持シートを備え、原稿の位置ずれ防止、原稿誤セットの防止、操作者の原稿セット性の向上を可能にした画像形成装置を最も主要な特徴とする。
請求項２記載の発明では、請求項１記載の原稿保持シートを巻き取るロールスクリーンスプリング巻き取り構造を備え、使用時以外は原稿保持シートをシート収納部へ収納するようにした画像形成装置を主要な特徴とする。
請求項３記載の発明では、請求項１又は２記載の原稿保持シートを有する装置において、原稿保持シート補正モードを有し、コピー時の前にシート読取動作を行い、シートの経時的な汚れ等を補正し、良好な画像を得るようにした画像形成装置を主要な特徴とする。
【０００６】
【発明の実施の形態】
以下、図面により本発明の実施の形態を詳細に説明する。図１は本発明の第１の形態例を示す画像形成装置の平面図、図２は図１の画像形成装置の正面図、図３は本発明の第２の形態例を示す原稿保持シートの構成を示す説明図、図４は図３の原稿保持シートの巻き取り構造の説明図、図５〜図７は使用状態の説明図である。
本発明の実施形態に係る画像形成装置は、図１及び図２の平面図、及び正面図に示すように、上面に原稿支持台１（コンタクトガラス）を有し、且つ上面の原稿支持台１の手前には操作部２を有し、又原稿支持台１の左端部と奥側にはスケール３が備えられている。上記原稿支持台１の上部右側には、ロールケース等の収納部４が設けられており、収納部４には原稿保持シート５が引き出し巻き込み自在に収納されている。
収納部４には、図３、図４に示すように、ロールスクリーンスプリング巻き取り構造６が備えられて、原稿保持シート５を自動的に巻き取るようになっており、又、原稿保持シート５の先端に備えたロールバー７を引っ張ることによりロールスクリーンスプリング巻き取り構造６の巻き取り力に抗して原稿保持シート５を取出して前記原稿支持台１上に載置できるようにしている。前記ロールスクリーンスプリング巻き取り構造６は、図４に示すように、ゼンマイバネ等のスプリング力によって一方向に回転するロール８により軟らかい布状の帯９を巻き取るようになっており、この帯９の先端に前記原稿保持シート５の後端を固定している。図４中１０はストッパである。
【０００７】
前記原稿保持シート５は、上面に粘性層を持った透明シートでできており、図３に示すように不定形原稿（例えば、レジシート等）１１のコピー面を原稿支持台１のコンタクトガラス面に向けて原稿保持シート５上の任意の場所にセット（粘着保持）できるようにしている。従って、原稿保持シート５の未使用時にはロールスクリーンスプリング巻き取り構造６によって原稿保持シート５は巻き上げられ収納部４内に収められており、よって図５に示すように原稿支持台１のコンタクトガラス面が見えている。
原稿保持シート５の使用時には操作者がロールバー７をスケール３側に引くことで図６のように原稿保持シート５を引き出して原稿支持材台１上に位置させることができる。この時、ロールバー７をコンタクトガラス上の左側のスケール３の端に接するようにセットすることで原稿保持シート５を隙間なくコンタクトガラス１上に容易にセットすることが可能である。
続いて、図７に示すように透明で粘着性を有する原稿保持シート５上に原稿１１をセットし、操作部２を操作することによりコピーを行うことができる。この形態例では、一例として原稿保持シート５を不定の原稿サイズに対応可能とする為に原稿支持台１のコンタクトガラス１と同等の幅を持たせたものとしている。前記したように、原稿保持シート５は粘性を持った透明シートの構造の為に、レシート等の湾曲しやすいコピー原稿においても操作者は容易に原稿を平らに並べてセットすることが可能である。また原稿のセット時においても、コピー原稿が台紙等の影になることもなく操作者は原稿を見ながら出来上がりのレイアウト配置を確認しながら操作することが可能である。そして粘性を持ったシートの為に圧板等の開閉においても原稿がずれることもなく、良好なレイアウトのまま原稿をセットすることができる。
画像処理装置では、新聞などの地肌のある原稿の地肌部が画像に現われないようにカットする地肌除去を画像読取後に補正処理を行っている。この為、本発明の様な透明シート状の原稿保持シート５は画像地肌部のカットされる様なしきい値以下の低濃度である為に読取画像に対しての影響はほとんどないと考えることができる。
以上の構成によれば、湾曲しやすいレシートなどのコピー原稿も通常の圧板を使用したコピーと同様な操作により、操作者が特に注意を払うことなしに上記の様な小さいコピー原稿においても安定して良好なコピー画像を取ることが可能となる。
【０００８】
次に図８、図９、図１０を用いて本発明の第３の形態例における構成・動作をデジタル画像形成装置の場合を例に取って説明する。図８は原稿１１を画素化して読みとるデジタルスキャナ部１２と、このデジタルスキャナ部１２からの画像信号を記録する画像メモリ１３と、この画像メモリ１３に記憶された画像信号を読み出して転写用紙１４に記録する画像出力部１５とを備えており、原稿を読みとって画像メモリ１３に記憶し、この記憶された画像情報を画像出力部１５により画像再生するデジタル画像形成装置である。
操作部１６は、目的とするコピーモードを操作者がキー入力指示でき、転写紙後処理装置（ソーター／ステプラ−）１７は転写紙を仕分排紙、ステイプル処理を行うことができる（ここでＡＤＦについては省略する。）デジタルスキャナ、画像メモリ、プリンタ部、紙後処理部は制御部１８により制御される。
図９は画像データの流れとＣＰＵ周りのブロック図である。制御回路には、ＣＰＵ１９が搭載され、プログラム用ＲＯＭ２０、データの一時格納用ＲＡＭ２１、タイマ２２、入出力Ｉ／Ｏポート２３が接続されている。Ｉ／Ｏポート２３には本機械を操作する為の操作パネル２４を含むセンサ２５類、負荷ドライバ２６の各種負荷２７、及び画像メモリを制御する為の画像メモリユニット２８が接続されている。
前記デジタルスキャナ部１２は上部に配置された原稿の下面を光学走査機２９によって、その光学像をミラー３０及びレンズ系３１を介して光電変換部に電送してデジタルの電気信号に変換するようになっている。そして画像出力部１５は画像メモリ１３から読み出された画像信号を入力部３２に入力して光信号に変換しこれを記録部３３（像担持体、帯電部、露光部、現像部、転写部、定着部）に送る。記録部３３では搬送機構３４によって搬送されてくる転写用紙１４に画像信号に対応する記録を行い、これをコピーとして出力し、紙後処理部１７により仕分けられて出力、排紙する。
図９に示すように、スキャナ部１２のＣＣＤイメージセンサ３５で読み取られた信号はＡ／Ｄコンバータ３６でデジタル信号に変換される。そしてシェーディング補正回路３７、ＭＴＦ補正、γ補正等の補正回路３８の画像処理回路を経由した画像データはセレクタ３９によって転送先を画像データ格納時はメモリユニット２８に、画像データのメモリからの読み出し時には画像出力部に切り替える。ここで画像データは画像メモリ１３に格納されており、先頭アドレスを読み出すことにより格納されている任意の頁を読み出すことができる。また、画像データは次に比較・補正部４０へ送られデータ補正が行われプロッタ部４１へ送られる。
【０００９】
次に、上記第３の形態例の動作について図１０のフローを用いて説明する。原稿保持シート５を使用したコピーを行う際に操作者は操作部２より原稿保持シート補正モードを選択する（フロー▲１▼）。そして上記説明した原稿保持シート５をコンタクトガラス上にセットした後、圧板を閉じる（フロー▲２▼）。
次に操作部２において原稿保持シート補正読取スタートをスタートキー入力より行うと原稿保持シート５のデータ読取動作を行う（フロー▲３▼）。このデータはセレクタ３９を介し画像メモリ１３へ格納される（フロー▲４▼）。このデータを原稿保持シート５の補正データとする。次に原稿１１を原稿保持シート５上に配置し（フロー▲５▼）、圧板をセットした後コピー動作を行う（フロー▲６▼）、原稿保持シート５の読取データを使用し、データ画像比較・補正ブロック部４０により原稿読取データに対して補正をかけることで原稿保持シート５上の経時的な汚れ等に対してコピー転写画像から除去する（フロー▲７▼）。
上記画像保持シート５の汚れを補正した画像データをプロッタ部４１で出力することにより、画像保持シート５の経時的な汚れ等による転写紙地汚れを防止し、良好な転写画像を操作者に提供することができる（フロー▲８▼）。ここで画像保持シート補正モードは、保持シート補正データをメモリに格納、保持している為、毎回補正モードを行う必要はない。
【００１０】
【発明の効果】
以上説明したように、請求項１のデジタル画像形成装置においては、コピー原稿を保持シートに上から貼り付けるために台紙の影になること事がなく、また原稿のシートへの脱着が容易で操作者は自分の意図に応じた原稿の配置を容易にストレスなく行うことが可能となり、良好なレイアウトを転写紙にコピーすることが可能となる。
請求項２によれば、上記請求項１において、原稿保持シートはロールスクリーンのスプリング方式となっており、原稿保持シートの使用に応じてシートのセット又は収納を容易に行うことを可能とし、操作者への良好な操作性を提供し、コピー操作にかかる業務の時間を減らすことが可能となる。
請求項３によれば、請求項１又は２の原稿保持シートを有する装置において、原稿保持シートモードを有し、操作者は保持シートの使用時にこのモード選択をすることにより、原稿転写前に原稿保持シートを事前に読み取ることで、原稿読取りデータを補正し、原稿保持シートの経時的な汚れ等による転写紙地汚れを防止し、良好な転写画像の提供を可能とする。
【図面の簡単な説明】
【図１】本発明の第１の形態例を示す画像形成装置の平面図である。
【図２】図１の画像形成装置の正面図である。
【図３】本発明の第２の形態例である原稿保持シートの構成を示す説明図である。
【図４】図３の原稿保持シートの巻き取り構造の説明図である。
【図５】原稿保持シートが収納された状態の平面図である。
【図６】原稿保持シートを引出している状態の平面図である。
【図７】原稿保持シート上に原稿をセットしている状態の平面図である。
【図８】本発明の第３の形態例を示すデジタル画像形成装置に適用した場合の制御系のブロック図である。
【図９】画像データの流れとＣＰＵ周りのブロック図である。
【図１０】本発明の第３の形態例の動作を表わすフロー図である。
【符号の説明】
１　原稿支持台
４　収納部
５　原稿保持シート
６　ロールスクリーンスプリング巻き取り構造
【図１】
2004020665.tif 000003
【図２】
2004020665.tif 000004
【図３】
2004020665.tif 000005
【図４】
2004020665.tif 000006
【図５】
2004020665.tif 000007
【図６】
2004020665.tif 000008
【図７】
2004020665.tif 000009
【図８】
2004020665.tif 000010
【図９】
2004020665.tif 000011
【図１０】
2004020665.tif 000012